(57)【特許請求の範囲】
【請求項１】
容器の開口部を覆った状態で縦横４つの端部にて前記容器に固定される包装用フィルムが分離線によって分離可能に連続してなる包装用フィルムシートであって、
前記包装用フィルムが連続する連続方向両側辺に沿う領域に粘着剤が塗布され、
前記分離線は、
前記粘着剤が塗布された領域の内側に、前記連続方向に直交する方向に延びた第１の分離線と、
前記連続方向に所定の長さだけ延び、その一部にて前記第１の分離線の両端部に繋がっている２つの第２の分離線と、
前記２つの第２の分離線のぞれぞれの一端から、前記包装用フィルムシートの前記連続方向両側辺のうち前記第１の分離線とは反対側の側辺まで前記連続方向に直交する方向に延びた２つの第３の分離線と、
前記２つの第２の分離線のぞれぞれの他端から、前記包装用フィルムシートの前記連続方向両側辺のうち前記第１の分離線とは反対側の側辺まで前記連続方向に直交する方向に延びた２つの第４の分離線とからなる包装用フィルムシート。
【請求項２】
請求項１に記載の包装用フィルムシートにおいて、
前記連続方向両側辺に沿う領域のうち、前記第３の分離線が設けられた領域には前記粘着剤が塗布されていない包装用フィルムシート。
【発明の詳細な説明】
【技術分野】
【０００１】
本発明は、容器に収容された物品がこぼれ落ちることを防止するために容器の開口部を覆う包装用フィルムが分離線によって分離可能に連続した包装用フィルムシートに関する。
【背景技術】
【０００２】
従来より、苺や葡萄等の食料品を透明なプラスチック容器に入れて販売することが行われている。このようなプラスチック容器は、開口部を有しており、この開口部から食料品を収容した後、開口部を包装用フィルムでラッピングすることにより、食料品がプラスチック容器からこぼれ落ちないようにして販売される。
【０００３】
このような包装用フィルムは、例えば、包装用フィルムがミシン線を介して連続した連続状の包装用フィルムシートを用い、この包装用フィルムシートをミシン線によって１枚ずつの包装用フィルムに分離して使用される。この包装用フィルムシートにおいては、その連続方向両側辺に沿うように貼着部が設けられており、１枚ずつの包装用フィルムに分離された後、この貼着部によってプラスチック容器に貼着される（例えば、特許文献１参照。）。
【０００４】
図８は、従来の包装用フィルムでラッピングされたプラスチック容器を示す斜視図である。
【０００５】
従来の包装用フィルムは、上述したように、連続状となった包装用フィルムシートの連続方向両側辺に沿うように貼着部が設けられているため、図８に示すように、食料品１２が収容されたプラスチック容器１１の開口部を覆うようにかけられ、貼着部２０４によってその側部がプラスチック容器１１に貼着されて使用される。また、包装用フィルム２０３の貼着部２０４が設けられていない天地部分については、テープ２１０によってプラスチック容器１１に固定され、それにより、食料品１２がプラスチック容器１１からこぼれ落ちないような状態とされる。
【先行技術文献】
【特許文献】
【０００６】
【特許文献１】特開平９−５８７４３号公報
【発明の概要】
【発明が解決しようとする課題】
【０００７】
しかしながら、上述したように包装用フィルムの貼着部が設けられていない天地部分をプラスチック容器に固定するためにテープを用いる場合、プラスチック容器をラッピングするために包装用フィルムの他にテープを別途用意する必要があり、プラスチック容器をラッピングする作業が煩雑になってしまうという問題点がある。
【０００８】
本発明は、上述したような従来の技術が有する問題点に鑑みてなされたものであって、包装用フィルムが連続してなる包装用フィルムシートにおいて、テープ等の手段を別途用意することなく、包装用フィルムで容器の開口部を覆った状態で縦横４つの端部にて包装用フィルムを容器に固定することができる包装用フィルムシートを提供することを目的とする。
【課題を解決するための手段】
【０００９】
上記目的を達成するために本発明は、
容器の開口部を覆った状態で縦横４つの端部にて前記容器に固定される包装用フィルムが分離線によって分離可能に連続してなる包装用フィルムシートであって、
前記包装用フィルムが連続する連続方向両側辺に沿う領域に粘着剤が塗布され、
前記分離線は、
前記粘着剤が塗布された領域の内側に、前記連続方向に直交する方向に延びた第１の分離線と、
前記連続方向に所定の長さだけ延び、その一部にて前記第１の分離線の両端部に繋がっている２つの第２の分離線と、
前記２つの第２の分離線のぞれぞれの一端から、前記包装用フィルムシートの前記連続方向両側辺のうち前記第１の分離線とは反対側の側辺まで前記連続方向に直交する方向に延びた２つの第３の分離線と、
前記２つの第２の分離線のぞれぞれの他端から、前記包装用フィルムシートの前記連続方向両側辺のうち前記第１の分離線とは反対側の側辺まで前記連続方向に直交する方向に延びた２つの第４の分離線とからなる。
【００１０】
上記のように構成された本発明においては、包装用フィルムシートを分離線によって分離しようとすると、まず、包装用フィルムシートは、包装用フィルムシートの包装用フィルムが連続する連続方向両側辺から第３または第４の分離線によって分離しはじめ、次に、これら第３及び第４の分離線に繋がる第２の分離線によって分離し、その後、第２の分離線に繋がる第１の分離線によって分離し、それにより、１枚毎の包装用フィルムに分離されることになる。ここで、この状態においては、包装用フィルムシートの連続方向両側辺から延びている第３の分離線と第４の分離線のいずれか一方が分離していないため、包装用フィルムシートをこの第３の分離線と第４の分離線のうち分離していない分離線と、この分離線に繋がる第２の分離線とによって分離すると、第２の分離線と第３の分離線と第４の分離線と包装用フィルムシートの側辺とで囲まれた領域が包装用フィルムシートから分離することになる。包装用フィルムシートから分離した包装用フィルムは、まず、容器の開口部を覆った状態で、包装用フィルムシートの連続方向両側辺に沿う領域に塗布された粘着剤によって横方向における２つの端部が容器に貼着、固定される。そして、包装用フィルムシートから分離した、第２の分離線と第３の分離線と第４の分離線と包装用フィルムシートの側辺とで囲まれた領域には粘着剤が塗布されているため、この領域をテープとして用いて包装用フィルムの縦方向の２つの端部が容器に貼着、固定される。
【００１１】
このように、包装用フィルムが分離線によって分離可能に連続してなる包装用フィルムシートにおいて、その両側辺に沿う領域に粘着剤を塗布しておくことにより、包装用フィルムの横方向における２つの端部が容器に貼着、固定され、また、包装用フィルムシートの第２の分離線と第３の分離線と第４の分離線と包装用フィルムシートの側辺とで囲まれた領域によって、包装用フィルムの縦方向における２つの端部が容器に貼着、固定されることになり、テープ等の手段を別途用意することなく、包装用フィルムで容器の開口部を覆った状態で縦横４つの端部にて包装用フィルムを容器に固定することができる。
【００１２】
また、包装用フィルムシートの包装用フィルムが連続する連続方向両側辺に沿う領域のうち、第３の分離線が設けられた領域に粘着剤が塗布されていない構成とすれば、第４の分離線よりも第３の分離線の方が分離しやすくなり、それにより、第１の分離線が分離する際に分離する分離線が、包装用フィルムシートの両側辺とも第３の分離線となり、包装用フィルムシートを包装用フィルム毎に分離した際に、包装用フィルムシートの第２の分離線と第３の分離線と第４の分離線と包装用フィルムシートの側辺とで囲まれた領域が、どの包装用フィルムに用いるものなのかがわかりにくくなってしまうことがなくなる。例えば、巻き取り状態となった包装用フィルムシートを引き出して包装用フィルム毎に分離する場合、引き出し方向手前側を第３の分離線とすれば、包装用フィルムシートを包装用フィルム毎に分離すると、まず、包装用フィルムのみが分離し、その後、包装用フィルムシートに残っている、包装用フィルムシートの第２の分離線と第３の分離線と第４の分離線と包装用フィルムシートの側辺とで囲まれた領域を分離することで、包装用フィルムと、その包装用フィルムにテープの代わりに用いる部分とが包装用フィルムシートから分離されることになる。
【発明の効果】
【００１３】
以上説明したように本発明においては、包装用フィルムが分離線によって分離可能に連続してなる包装用フィルムシートにおいて、その両側辺に沿う領域に粘着剤を塗布しておくことにより、包装用フィルムの横方向における２つの端部が容器に貼着、固定され、また、包装用フィルムシートの第２の分離線と第３の分離線と第４の分離線と包装用フィルムシートの側辺とで囲まれた領域によって、包装用フィルムの縦方向における２つの端部が容器に貼着、固定されることになるので、テープ等の手段を別途用意することなく、包装用フィルムで容器の開口部を覆った状態で縦横４つの端部にて包装用フィルムを容器に固定することができる。
【００１４】
また、包装用フィルムシートの包装用フィルムが連続する連続方向両側辺に沿う領域のうち、第３の分離線が設けられた領域に粘着剤が塗布されていないものにおいては、第４の分離線よりも第３の分離線の方が分離しやすくなり、それにより、第１の分離線が分離する際に分離する分離線が、包装用フィルムシートの両側辺とも第３の分離線となり、包装用フィルムシートを包装用フィルム毎に分離した際に、包装用フィルムシートの第２の分離線と第３の分離線と第４の分離線と包装用フィルムシートの側辺とで囲まれた領域が、どの包装用フィルムに用いるものなのかがわかりにくくなってしまうことがなくなる。
【図面の簡単な説明】
【００１５】
【図１】本発明の包装用フィルムシートの実施の一形態を示す図であり、（ａ）は外観斜視図、（ｂ）は（ａ）に示した第１の分離線の詳細な構成を示す図、（ｃ）は（ａ）に示したＡ部拡大図である。
【図２】図１に示した包装用フィルムシートが１枚ずつの包装用フィルムに分離していく状態を示す図である。
【図３】図１に示した包装用フィルムシートが分離線によって分離する際の作用を説明するための図である。
【図４】図１及び図２に示した包装用フィルムが貼着されるプラスチック容器を示す外観斜視図である。
【図５】図４に示したプラスチック容器の開口部を図１及び図２に示した包装用フィルムで覆う場合の覆い方を説明するための図である。
【図６】本発明の包装用フィルムシートの他の実施の形態を示す図であり、（ａ）は外観斜視図、（ｂ）は（ａ）に示したＡ部拡大図である。
【図７】図６に示した包装用フィルムシートが１枚ずつの包装用フィルムに分離していく状態を示す図である。
【図８】従来の包装用フィルムでラッピングされたプラスチック容器を示す斜視図である。
【発明を実施するための形態】
【００１６】
以下に、本発明の実施の形態について図面を参照して説明する。
【００１７】
図１は、本発明の包装用フィルムシートの実施の一形態を示す図であり、（ａ）は外観斜視図、（ｂ）は（ａ）に示した分離線５の詳細な構成を示す図、（ｃ）は（ａ）に示したＡ部拡大図である。
【００１８】
本形態は図１（ａ）に示すように、透明な材料からなる複数の単片状の包装用フィルム３が複数の分離線５〜８によって分離可能に連続状となって芯材２にロール状に巻き取られ、芯材２に巻き取られた状態から引き出されてこれら分離線５〜８によって１枚ずつの包装用フィルム３に分離される包装用フィルムシート１である。また、包装用フィルムシート１の芯材２への巻き取り状態内側となる面には、包装用フィルム３が連続する連続方向両側辺に沿う領域において分離線７が設けられた領域を除いて粘着剤が塗布され、それにより、包装用フィルム３が連続する連続方向両側辺に沿った領域のうち分離線７が設けられていない領域が貼着部４となっている。この貼着部４を構成するための粘着剤は、包装用フィルムシート１の芯材２への巻き取り状態内側となる面に表出しているが、包装用フィルムシート１が芯材２に巻き取られた状態においては、この粘着剤には芯材２への巻き取り状態内側にて包装用フィルムシート１が対向して貼着されているため、粘着剤が乾燥することがなく、かつ、包装用フィルムシート１を芯材２への巻き取り状態から引き出すことができる。また、包装用フィルムシート１の芯材２への巻き取り状態外側となる面において、包装用フィルム３が連続する連続方向両側辺に沿って剥離剤を塗工することにより、包装用フィルムシート１を芯材２への巻き取り状態から容易に引き出すことができるようにすることも考えられる。
【００１９】
分離線５は、本願発明における第１の分離線となるものであって、図１（ａ），（ｂ）に示すように、貼着部４の内側に、包装用フィルム３が連続する連続方向に直交する方向にカット部５ａとタイ部５ｂとが交互に連続して延びて形成されたミシン目であり、カット部５ａが直線状の両端部にて丸みを帯びて構成され、両端部の先端が包装用フィルムシート１の引き出し方向とは反対側に向いている。
【００２０】
分離線６は、本願発明における第２の分離線となるものであって、図１（ａ），（ｃ）に示すように、分離線５の両端部にそれぞれ配置され、包装用フィルム３が連続する連続方向に直線状に並んだ２つのスリット６ａ，６ｂからなる。この２つのスリット６ａ，６ｂはそれぞれ包装用フィルム３が連続する連続方向に貼着部４に沿って延びており、スリット６ａは、その一端が、分離線５の両端部からの延長線上において分離線５に向かうように丸みを帯びて折り曲がり、分離線５と繋がるような形状となっている。そして、この丸みを帯びた角部から包装用フィルムシート１の引き出し方向手前側に所定の長さだけ延び、さらに丸みを帯びて包装用フィルムシート１の両側辺のうち分離線５とは反対方向に向かって折り曲がっている。スリット６ｂは、その一端が、スリット６ａの丸みを帯びた角部に隙間を介して配置されており、その端部から包装用フィルムシート１の巻き取り方向側に所定の長さだけ延び、包装用フィルムシート１の両側辺のうち分離線５とは反対方向に向かって丸みを帯びて折り曲がっている。
【００２１】
分離線７は、本願発明における第３の分離線となるものであって、図１（ａ），（ｃ）に示すように、カット部とタイ部とが交互に連続して延びて形成され、カット部の形状が分離線５と同様のものとなっている。そして、スリット６ａの丸みを帯びて折り曲がった部分に繋がるようにその一端が配置され、その一端から、包装用フィルムシート１の両側辺のうち分離線５とは反対側の側辺まで、包装用フィルム３が連続する連続方向に直交する方向に延びて配置されている。
【００２２】
分離線８は、本願発明における第４の分離線となるものであって、図１（ａ），（ｃ）に示すように、カット部とタイ部とが交互に連続して延びたマイクロミシンであり、スリット６ｂの丸みを帯びて折り曲がった部分に繋がるようにその一端が配置され、その一端から、包装用フィルムシート１の両側辺のうち分離線５とは反対側の側辺まで、包装用フィルム３が連続する連続方向に直交する方向に延びて配置されている。
【００２３】
そして、分離線６〜８によって囲まれた領域が、テープ部９となっている。
【００２４】
上記のように構成された包装用フィルムシート１は、上述したように分離線５，７が、そのカット部が直線状の両端部にて丸みを帯び、両端部の先端が包装用フィルムシート１の引き出し方向とは反対側に向いており、このような形状の刃型を包装用フィルムシート１に押し当てて形成することになるが、分離線５，７が設けられる領域には、粘着剤が塗布されていないため、刃型に粘着剤が付着してしまうことがない。
【００２５】
以下に、上述した包装用フィルムシート１を１枚ずつの包装用フィルム３に分離する際の作用について説明する。
【００２６】
図２は、図１に示した包装用フィルムシート１が１枚ずつの包装用フィルム３に分離していく状態を示す図である。
【００２７】
図１に示した包装用フィルムシート１を１枚ずつの包装用フィルム３に分離する場合、芯材２に巻き取られた包装用フィルムシート１を引き出し、芯材２を固定した状態で包装用フィルムシート１を引き出し方向に引っ張ると、まず、破断力が包装用フィルムシート１のうち包装用フィルム３が連続する連続方向両端辺に加わって分離線７が破断していく。この際、包装用フィルムシート１のうち包装用フィルム３が連続する連続方向両端辺には、分離線７の他に分離線８が設けられているが、上述したように分離線７が設けられた領域には粘着剤が塗布されていない一方、分離線８が設けられた領域には粘着剤が塗布されているため、この粘着剤によって分離線８が破断しにくくなっており、それにより、分離線８が破断せずに分離線７が破断していく。また、分離線７は、上述したように図１（ｂ）に示した分離線５と同様の構成となっていることにより、破断領域が分離線８から外れてしまうことが回避される。その作用については、分離線５が分離する際の作用と同一であり、後述する。
【００２８】
分離線７が完全に破断すると、この分離線７には、スリット６ａが繋がったような状態となっているため、図２（ａ）に示すように、このスリット６ａによってその破断部分が分離線５の両端部に達する。ここで、分離線７が完全に破断した後、包装用フィルムシート１にかかる破断力は、分離線７の端部から包装用フィルムシート１の引き出し方向手前側に向かおうとする。ところが、分離線７の端部に繋がるように配置されたスリット６ａの端部が、丸みを帯びて包装用フィルムシート１の巻き取り方向側に曲がっているため、包装用フィルムシート１が分離線７の端部から包装用フィルムシート１の引き出し方向手前側に破断することなく、スリット６ａに沿って分離していく。
【００２９】
そして、包装用フィルムシート１を引き出し方向手前側にさらに引っ張ると、スリット６ａの分離線７とは反対側の端部が分離線５に向かうように丸みを帯びて曲がって分離線５と繋がるようになっているため、図２（ｂ）に示すように、包装用フィルムシート１の破断部分が分離線５の端部に導かれ、分離線５が破断していく。
【００３０】
ここで、図１に示した包装用フィルムシート１が分離線５によって分離する際の作用について説明する。
【００３１】
図３は、図１に示した包装用フィルムシート１が分離線５によって分離する際の作用を説明するための図である。
【００３２】
包装用フィルムシート１の破断部分が分離線５の両端部に達し、その状態で包装用フィルムシート１を引き出し方向手前側にさらに引っ張ると、図３（ａ）に示すように、分離線５のタイ部５ｂにおいては、分離線５のカット部５ａの端部から図３（ａ）中矢印Ａ方向に分離する力が働く。そのため、タイ部５ｂにおいては、カット部５ａの両端部から包装用フィルムシート１の引き出し方向手前側に裂けていこうとする。
【００３３】
ところが、カット部５ａの両端部が包装用フィルムシート１の引き出し方向とは反対側に向いているため、タイ部５ｂにおいては、カット部５ａの両端部から包装用フィルムシート１の引き出し方向手前側に裂けようとする力が働きにくくなり、それにより、図３（ｂ）に示すように、タイ部５ｂの切断部分５ｃが包装用フィルムシート１の引き出し方向手前側に向かいにくくなる。
【００３４】
そして、図３（ｃ）に示すように、タイ部５ｂが包装用フィルムシート１の引き出し方向手前側に大きく裂けてしまう前に切断部分５ｃが隣接するカット部５ａに達し、図３（ｄ）に示すように、包装用フィルムシート１が１枚ずつの包装用フィルム３に分離することになる。
【００３５】
１枚ずつに分離した包装用フィルム３は、包装用フィルム３が連続する連続方向両側辺においては、上述したようにして分離線７，８のうち分離線７が破断することになるため、図２（ｃ）に示すように、包装用フィルム３の巻き取り方向側においては、一部が切り欠かれた形状となっており、また、後述するが、包装用フィルム３の引き出し方向手前側においても同様の形状となっている。それにより、包装用フィルム３は、包装用フィルムシート１として連続していた方向について、２つの貼着部４の内側の領域が、包装用フィルムシート１の引き出し方向手前側及び巻き取り方向側にそれぞれ突出したフラップ部３ｂが形成され、また、それとは直交する方向については、包装用フィルム３の連続方向両側辺に向かって貼着部４の幅だけ突出したフラップ部３ａが形成された略十字の形状となっている。
【００３６】
このように包装用フィルムシート１を分離線５，７及びスリット６ａによって破断して１枚分の包装用フィルム３を分離すると、分離した包装用フィルム３の包装用フィルムシート１の巻き取り方向側には、分離線８とスリット６ｂによって囲まれた領域によって構成されるテープ部９が突出した状態となる。そして、図２（ｄ）に示すように、このテープ部９を、分離線８を破断することによって包装用フィルムシート１から分離する。分離線８を包装用フィルム３の包装用フィルムシート１における連続方向の両側辺から破断していくと、分離線８の他端側は丸みを帯びてスリット６ｂが延びる方向に曲がっており、また、分離線８をスリット６ｂ側から破断すると、分離線８は、スリット６ｂが延びる方向から丸みを帯びて曲がっているので、いずれの場合においても、分離線８とスリット６ｂとの間にて包装用フィルムシート１がこれらに沿わない方向に避けてしまうことが回避される。このようにしてテープ部９が包装用フィルムシート１から分離することによって、包装用フィルムシート１から次に分離する包装用フィルム３の引き出し方向手前側の一部が切り欠かれた状態となる。また、上述したように分離線７が設けられた領域に粘着剤を塗布しておかないことにより、包装用フィルム３を分離する際に分離線８が破断せずに分離線７が破断するため、包装用フィルム３が分離した際に、分離した包装用フィルム３の包装用フィルムシート１の巻き取り方向側にテープ部９が突出した状態となり、このテープ部９を用いて包装用フィルム３を容器に固定することがわかる。
【００３７】
このように包装用フィルムシート１から分離した包装用フィルム３は、包装用フィルムシート１から分離したテープ部９を用いて容器の開口部を覆った状態で容器に固定される。
【００３８】
以下に、上記のようにして包装用フィルムシート１から分離された包装用フィルム３の使用方法について説明する。
【００３９】
図４は、図１及び図２に示した包装用フィルム３が貼着されるプラスチック容器を示す外観斜視図である。
【００４０】
図１及び図２に示した包装用フィルム３は、図４に示すようなプラスチック容器１１に貼着される。このプラスチック容器１１は、図４に示すように、長方形の角部に丸みを帯びた開口部１３を有し、この開口部１３の外側に一定の幅のつば部１５を有している。そして、開口部１３から食料品１２が収容されるものである。このままでは、収容された食料品１２が開口部１３からこぼれ落ちてしまうため、図１及び図２に示した包装用フィルム３で開口部１３を覆う必要がある。
【００４１】
図５は、図４に示したプラスチック容器１１の開口部１３を図１及び図２に示した包装用フィルム３で覆う場合の覆い方を説明するための図である。
【００４２】
図４に示したプラスチック容器１１の開口部１３を図１及び図２に示した包装用フィルム３で覆う場合は、まず、図５（ａ）に示すように、プラスチック容器１１の開口部１３上に包装用フィルム３を重ね合わせる。この際、包装用フィルム３のフラップ部３ａ，３ｂを除いた部分の大きさをプラスチック容器１１の開口部１３と同じものとすることにより、包装用フィルム３のフラップ部３ａ，３ｂのみがプラスチック容器１１の開口部１３とつば部１５から飛び出した状態となる。
【００４３】
次に、図５（ｂ）に示すように、包装用フィルム３のフラップ部３ａを、プラスチック容器１１を包み込むように折り曲げ、貼着部４をプラスチック容器１１の側面に貼着し、それにより、包装用フィルム３の横方向の端部をそれぞれプラスチック容器１１に固定する。
【００４４】
その後、図５（ｃ）に示すように、包装用フィルムシート１から分離したテープ部９の半分を包装用フィルム３のフラップ部３ｂに貼り付け、このフラップ部３ｂを、プラスチック容器１１を包み込むように折り曲げ、テープ部９の半分をプラスチック容器１１の側面に貼着することによって、包装用フィルム３の縦方向の端部をそれぞれプラスチック容器１１に固定する。
【００４５】
このように、包装用フィルム３が連続してなる包装用フィルムシート１において包装用フィルム３が連続する連続方向両側辺に沿う領域に粘着剤を塗布しておくことにより、包装用フィルムシート１から分離した包装用フィルム３によってプラスチック容器１１の開口部１３を覆った後、この粘着剤によって包装用フィルム３の横方向における２つの端部をプラスチック容器１１に貼着、固定することができ、また、包装用フィルムシート１の分離線６〜８と包装用フィルムシート１の側辺とで囲まれたテープ部９を包装用フィルムシート１から分離し、このテープ部９によって、包装用フィルム３の縦方向における２つの端部をプラスチックが容器１１に貼着、固定することができ、テープ等の手段を別途用意することなく、包装用フィルム３によってプラスチック容器１１の開口部１３を覆った状態で縦横４つの端部にて包装用フィルム３をプラスチック容器１１に固定することができる。
【００４６】
また、上述したように、包装用フィルム３のフラップ部３ａ，３ｂを除いた部分の大きさをプラスチック容器１１の開口部１３と同じものとすることにより、開口部１３の全体を覆いながらも、包装用フィルム３をプラスチック容器１１の側面にて折り曲げた場合に包装用フィルム３の端部がプラスチック容器１１の側面から突出してしまうことがなくなる。
【００４７】
（他の実施の形態）
図６は、本発明の包装用フィルムシートの他の実施の形態を示す図であり、（ａ）は外観斜視図、（ｂ）は（ａ）に示したＡ部拡大図である。
【００４８】
本形態は図６に示すように、第１の実施の形態に示したものに対して、分離線１０６が１つのスリットからなり、それにより、分離線１０８の位置が異なるものである。本形態における分離線１０６は、第１の実施の形態に示した２つのスリット６ａ，６ｂのうち引き出し方向手前側のスリット６ａのみから構成されており、それにより、分離線１０８は、分離線５の延長線上に配置されている。
【００４９】
上記のように構成された包装用フィルムシート１０１においても、第１の実施の形態に示したものと同様に、１枚ずつの包装用フィルム１０３に分離されて使用されることになる。
【００５０】
図７は、図６に示した包装用フィルムシート１０１が１枚ずつの包装用フィルム１０３に分離していく状態を示す図である。
【００５１】
図６に示した包装用フィルムシート１０１を１枚ずつの包装用フィルム１０３に分離する場合、芯材２に巻き取られた包装用フィルムシート１０１を引き出し、芯材２を固定した状態で包装用フィルムシート１０１を引き出し方向に引っ張ると、まず、破断力が包装用フィルムシート１０１のうち包装用フィルム１０３が連続する連続方向両端辺に加わって分離線７が破断していく。
【００５２】
分離線７が完全に破断すると、この分離線７には、分離線１０６が繋がったような状態となっているため、図７（ａ）に示すように、この分離線１０６によってその破断部分が分離線５の両端部に達する。ここで、分離線７が完全に破断した後、包装用フィルムシート１０１にかかる破断力は、分離線７の端部から包装用フィルムシート１０１の引き出し方向手前側に向かおうとする。ところが、分離線７の端部に繋がるように配置された分離線１０６の端部が、丸みを帯びて包装用フィルムシート１０１の巻き取り方向側に曲がっているため、包装用フィルムシート１０１が分離線７の端部から包装用フィルムシート１０１の引き出し方向手前側に破断することなく、分離線１０６に沿って分離していく。
【００５３】
そして、包装用フィルムシート１０１を引き出し方向手前側にさらに引っ張ると、分離線１０６の分離線７とは反対側の端部が分離線５に向かうように丸みを帯びて曲がって分離線５と繋がるようになっているため、図７（ｂ）に示すように、包装用フィルムシート１０１の破断部分が分離線５の端部に導かれ、分離線５が破断していく。
【００５４】
分離線５が分離することによって１枚ずつに分離した包装用フィルム１０３は、包装用フィルム１０３が連続する連続方向両側辺においては、上述したようにして分離線７，１０８のうち分離線７が破断することになるため、図７（ｃ）に示すように、包装用フィルム１０３の巻き取り方向側においては、一部が切り欠かれた形状となっている。それにより、包装用フィルム１０３は、包装用フィルムシート１０１として連続していた方向について、２つの貼着部４の内側の領域が、包装用フィルムシート１０１の巻き取り方向側に突出したフラップ部３ｂが形成され、また、それとは直交する方向については、包装用フィルム１０３の連続方向両側辺に向かって貼着部４の幅だけ突出したフラップ部３ａが形成された略凸字の形状となっている。
【００５５】
このように包装用フィルムシート１０１を分離線５，７，１０６によって破断して１枚分の包装用フィルム１０３を分離すると、分離した包装用フィルム１０３の包装用フィルムシート１０１の巻き取り方向側には、分離線１０８を介して包装用フィルムシート１０１から突出したテープ部１０９が存在する。そして、図７（ｄ）に示すように、このテープ部１０９を、分離線１０８を破断することによって包装用フィルムシート１０１から分離する。
【００５６】
このように包装用フィルムシート１０１から分離した包装用フィルム１０３は、第１の実施の形態にて示したものと同様に、包装用フィルムシート１０１から分離したテープ部１０９を用いて容器の開口部を覆った状態で容器に固定される。
【００５７】
なお、本形態においては、第２の分離線を、分離線５の両端部から包装用フィルムシート１０１の引き出し方向手前側に延びたものとしたが、分離線５の両端部から包装用フィルムシート１０１の巻き取り側に延びたものであってもよい。
【００５８】
また、上述した実施の形態にて示した包装用フィルムシート１，１０１において包装用フィルム３，１０３を分離可能とする分離線５〜８，１０６，１０８としては、上述したようなミシン目やスリット、マイクロミシンに限らず、カット部とタイ部とがただ単に交互に配列したものであってもよく、これらの分離線５〜８，１０６，１０８を一種類のもので構成してもよい。
【符号の説明】
【００５９】
１，１０１    包装用フィルムシート
２    芯材
３，１０３    包装用フィルム
３ａ，３ｂ    フラップ部
４    貼着部
５〜８，１０６，１０８    分離線
５ａ    カット部
５ｂ    タイ部
５ｃ    分離部分
６ａ，６ｂ    スリット
９，１０９    テープ部
１１    プラスチック容器
１２    食料品
１３    開口部
１５    つば部
【図１】
0005690195.tif 000002
【図２】
0005690195.tif 000003
【図３】
0005690195.tif 000004
【図４】
0005690195.tif 000005
【図５】
0005690195.tif 000006
【図６】
0005690195.tif 000007
【図７】
0005690195.tif 000008
【図８】
0005690195.tif 000009